(57)【特許請求の範囲】
【請求項１】
合成樹脂の射出成形品よりなり、端部を開放口とした外筒部と一端を閉塞した有底筒体である内筒部とからなり、該内筒部の開口端部にて外筒部の内壁と一体に連結する連結部を有し、内筒部の開口端近傍に外筒部の両開口端部と連通する窒息防止用の空気流通孔を形成してなる筆記具のキャップにおいて、該空気流通孔を前記内筒部の側壁に形成すると共に、その空気流通孔の一部が前記連結部の縁によって形成され、また、その連結部における空気流通孔を形成する縁に薄肉部を形成し、更に、その薄肉部をペン先が当接した際、破れる程度の薄肉部としたことを特徴とする筆記具のキャップ
【発明の詳細な説明】
【０００１】
【発明の属する技術分野】
本発明は、合成樹脂の射出成形品よりなり、端部を開放口とした外筒部と一端を閉塞した有底筒体である内筒部とからなり、該内筒部の開口端部にて外筒部の内壁と一体に連結する連結部を有し、内筒部の開口端近傍に外筒部の両開口端部と連通する幼児等がキャップを咽喉に詰まらせた場合の窒息防止用の空気流通孔を形成してなる筆記具のキャップに関する。
【０００２】
【従来の技術】
従来、窒息防止用の空気流通孔を有する筆記具のキャップとして、空気（呼吸）の流通路を確保する外筒部と筆記具本体の有するペン先を気密に保持する内筒部とからなるものが知られている。一例として、実開平２−５８９８１号公報、実開平３−９８７９号公報に示されているようなものを挙げることができるが、このようなキャップの空気（呼吸）の流通路は、外筒部と内筒部の連結部分や内筒部に空気流通孔を形成することによって得られている。
【０００３】
【発明が解決しようとする課題】
空気流通路の一部である、空気流通孔の位置によって、不具合を有するものであった。即ち、空気流通孔を内筒部のみに形成したものでは、内筒部と外筒部との連結部が外筒部の内方突出部として形成されることになり、筆記具本体に装着する際にペン先と接触し、ペン先の先端部分が変形するなどペン先を傷める懸念のあるものであった。そこで、外筒部と内筒部との連結部にも空気流通孔を形成し、内筒部の空気流通孔と連続するようにした場合、ペン先が当接してしまう内方突出部の面積は減少しペン先が破損するような懸念は減少するものである。しかし、前記連結部に空気流通孔を形成するということは、合成樹脂の射出成形品である場合、金型上の問題を生じるものであった。即ち、連結部の空気流通孔に相当する金型の部分では、コアピンとキャビティとが衝突し、該部に摩耗や変形等の破損が発生し、耐久性の劣るものであるという問題があった。
【０００４】
【課題を解決するための手段】
即ち、本発明は、合成樹脂の射出成形品よりなり、端部を開放口とした外筒部と一端を閉塞した有底筒体である内筒部とからなり、該内筒部の開口端部にて外筒部の内壁と一体に連結する連結部を有し、内筒部の開口端近傍に外筒部の両開口端部と連通する窒息防止用の空気流通孔を形成してなる筆記具のキャップにおいて、該空気流通孔を前記内筒部の側壁に形成すると共に、その空気流通孔の一部が前記連結部の縁によって形成され、また、その連結部における空気流通孔を形成する縁に薄肉部を形成し、更に、その薄肉部をペン先が当接した際、破れる程度の薄肉部としたことを特徴とする筆記具のキャップを要旨とする。
【０００５】
【作用】
空気流通孔は内筒部に形成し、咽喉に詰まらせた際の最低限の空気流通量は該部にて確保する。また、連結部の空気流通孔に相当する部位を薄肉部とすることにより、該部にペン先が当接した場合にペン先が薄肉部を破り、ペン先に無理な荷重がかからなく、ペン先の破損が避けられる。また、薄膜部に相当する金型のコアピンとキャビティとの部分は衝突しないので金型の耐久性も高いものである。
【０００６】
【実施例】
以下、図面に基づき一例について説明する。図１に示すものは、本発明の筆記具のキャップの縦断面図であり、前後端を開放口とした外筒部１と一端を閉塞した有底筒体である内筒部２とを内筒部２の開口部３近傍にて連結部４にて連結している。外筒部１は内孔後端部に筆記具本体（図示せず）に対する嵌合突起５を有し、内筒部内孔には、筆記具本体と周状当接することによりペン先（図示せず）を気密にする環状突部６を有している。また、内筒部２は側壁に空気流通孔７を有している。この空気流通孔７によって、外筒部の両開口部が連通し、幼児等が本キャップを咽喉に詰まらせた際にも最小限の呼吸を確保することができるものである。
【０００７】
図１のＩ部拡大図である図２及びＩＩ−ＩＩ線断面矢視図である図３にも示したように、外筒部１と内筒部２との連結部４にはペン先が当接した場合の弱い力で容易に破れる薄肉部４ａが形成されている。この薄肉部４ａは内筒部２の空気流通孔７に相当する位置に形成されており、ペン先が当接して該部を破った場合、そのままペン先は空気流通孔７の縁を伝わって内筒内に収容されるので、ペン先に無理な荷重が係ることは極力抑制される。ここで、一例を挙げれば、ペン先が連通孔を有する合成樹脂製ペン先のような細い場合、薄肉部４ａの厚みはキャップの材質がポリプロピレンのようなやわらかな材質であれば０．１０ｍｍ以下が好ましく、ナイロンやポリオキシメチレン程度の比較的硬質な物であれば０．０８ｍｍ以下が好ましく、ペン先として繊維集束体のような比較的太いものの場合、ポリプロピレンのようなやわらかな材質であれば０．１２ｍｍ以下が好ましく、ナイロンやポリオキシメチレン程度の比較的硬質な物であれば０．１０ｍｍ以下が好ましい。
【０００８】
図４〜図６に他の一例を示す。図１〜図４のものよりも空気流通孔の数を増やし、よりペン先を傷つき難くなしたものである。空気流通孔７の数を増やしたことにより相対的に連結部４における薄肉部４ａの占める割合も増加し、更に薄肉部間の連結部が細くなるので、該部にペン先が当接したとしても直ぐに薄肉部側にずれさせることができる。
【０００９】
本例のものは、空気流通孔７の数を増やし、その分連結部４の数も同じように増やしたものであることから樹脂の射出成形品としての好ましい側面を有しているものである。即ち、空気流通孔７のような孔を有する射出成形品は、金型の構造上樹脂の流れが合流する部分ができ、該部にて若干冷えて固まりかけた樹脂が合流するためにできあがった成形品に溝状の凹みである所謂ウェルドが形成されることがある。本例のものにおいては、外筒部１の外壁部分に前記ウェルドが発生する可能性がある。しかしながら、本例のような連結部４を多く形成したものでは、成形時の樹脂の合流地点に到達する相対的な樹脂量を減らすことができると共に、合流地点に到達するまでの時間も短くて済み、樹脂を比較的完全な溶融状態に近いまま合流させることができる。よって、前記ウェルドの発生し難いもの、仮に発生したとしても数が多い分分散され、その凹みの深さは浅く、外観状にあまり影響しないものとすることができる。
【００１０】
また、合成樹脂の射出成形品であることと筆記具のキャップであることから更に良好な点は、筆記具のキャップは、本来、筆記具本体の有するペン先の保護や該部からのインキの蒸発防止をなすためのものであるが、空気流通孔７のような孔を有する場合、ペン先からのインキの蒸発防止に悪影響を及ぼす可能性が有った。即ち、射出成形により成形された合成樹脂成形物は成形後冷却される際に収縮し体積が減少する。例えば、ポリプロピレン樹脂を使用した場合、約２％程度体積が減少するといわれている。本例のもののように内筒部２の内孔に環状突部６を形成し筆記具本体を装着した際に該部と筆記具本体の外壁とを密着させペン先を気密に保持するものでは、前記空気流通孔７のような、同一周上に樹脂の存在しない部分のあるものでは、気密の保持に問題の発生する可能性が有った。即ち、同一周上で樹脂の存在する部分としない部分が有るということは、成形直後樹脂が収縮する際の収縮寸法に微妙な差ができ、収縮後の成形品の該部は円形状とはならず多角形に近い形になってしまうことがある。この収縮寸法の差は上記環状突部６の収縮にも影響し、筆記具本体に対する良好な密接状態を得られない懸念がある。しかしながら、本例のように空気流通孔の一つ一つを幅狭く、その分数を多く形成したものは、収縮寸法の差が相対的に少なくなり、環状突部６の筆記具本体への密着状態に悪影響を及ぼしにくいものである。
【００１１】
【発明の効果】
以上より、本発明の筆記具のキャップは、咽喉に詰まらせた際の最低限の空気流通量は確保し、ペン先に無理な荷重が係らなく、ペン先の破損が避けられる。また、キャップを成形する金型の耐久性も高いものである。
【図面の簡単な説明】
【図１】  一例を示す縦断面図。
【図２】  図１のＩ部拡大図。
【図３】  図１のＩＩ−ＩＩ線矢視図。
【図４】  他の一例を示す縦断面図。
【図５】  図４のＩ部拡大図。
【図６】  図４のＩＩ−ＩＩ線矢視図。
【符号の説明】
１    外筒部
２    内筒部
３    開口部
４    連結部
４ａ    薄肉部
５    嵌合突起
６    環状突部
７    空気流通孔
【図１】
0003694995.tif 000002
【図２】
0003694995.tif 000003
【図３】
0003694995.tif 000004
【図４】
0003694995.tif 000005
【図５】
0003694995.tif 000006
【図６】
0003694995.tif 000007